(57)【特許請求の範囲】
【請求項１】
基材（２）の表面側に情報印字用シート（４）が剥離可能に接着され、基材（２）の裏面側に粘着剤（５）が設けられ、且つ離型紙（６）で被覆保護されてなるシートであって、前記情報印字用シート（４）の表面側から離型紙（６）の上までに至る切断線（７）によって当該シート端部側のマージン部（１Ａ）とその上方の帳票部（１Ｂ）とに区画形成されていて離型紙（６）剥離前は全体が同じ厚さとなるように形成された構成を有する帳票印刷用シート（１）において、  前記情報印字用シート（４）がその表面側から基材（２）の上までに至る切断線（８ａ）によって上部帳票領域（４ａ）と下部帳票領域（４ｂ）に区画形成され、  前記基材（２）の表面側端部に沿って帯状に情報印字用シート（４）と非接着の領域である帯状縁部（２１）が設けられ、この帯状縁部（２１）の境界部に沿って設けた、基材（２）の表面側から離型紙（６）の上までに至る深さの切断線（１０）により基材（２）が情報印字用シート（４）に非接着の帯状縁部（２１）と情報印字用シート（４）が剥離可能に接着した主体部（２２）とに区画形成されているとともに、 前記帯状縁部（２１）は基材（２）の前記情報印字用シート（４）の上部帳票領域（４ａ）及び下部帳票領域（４ｂ）の縁部が面する部分のみ幅広に設けられ、  前記マージン部（１Ａ）と帳票部（１Ｂ）を区画する切断線（７）の切り込みが前記帯状縁部（２１）内に設けられ、且つこの帯状縁部（２１）内に切断線（７）が切り込まれていない幅Ｗの非切断部が設けられており、  前記マージン部（１Ａ）を切断線（７）に沿って切除し、これを離型紙（６）とともに帳票部（１Ｂ）から分離する際に、離型紙（６）の剥離に伴い基材（２）の主体部（２２）はその裏面に粘着剤（５）が露出し、帯状縁部（２１）は離型紙（６）の表面に残り、且つ切断線（１０）に沿って切除されて主体部（２２）から分離するように設けられた構成を有することを特徴とする帳票印刷用シート（１）。
【請求項２】
基材（２）の表面側に情報印字用シート（４）が剥離可能に接着され、基材（２）の裏面側に粘着剤（５）が設けられ、且つ離型紙（６）で被覆保護されてなるシートであって、前記情報印字用シート（４）の表面側から離型紙（６）の上までに至る切断線（７）によって当該シート端部側のマージン部（１Ａ）とその上方の帳票部（１Ｂ）とに区画形成されていて離型紙（６）剥離前は全体が同じ厚さとなるように形成された構成を有する帳票印刷用シート（１）において、
前記情報印字用シート（４）がその表面側から基材（２）の上までに至る切断線（８ａ）によって上部帳票領域（４ａ）と下部帳票領域（４ｂ）に区画形成され、
前記基材（２）の表面側端部の略中間位置まで沿って帯状に情報印字用シート（４）と非接着の領域である帯状縁部（２１）が設けられ、この帯状縁部（２１）の境界部に沿って設けた、基材（２）の表面側から離型紙（６）の上までに至る深さの切断線（１０）により基材（２）が情報印字用シート（４）に非接着の帯状縁部（２１）と情報印字用シート（４）が剥離可能に接着した主体部（２２）とに区画形成されているとともに、
前記帯状縁部（２１）は基材（２）の前記情報印字用シート（４）の上部帳票領域（４ａ）及び下部帳票領域（４ｂ）の縁部が面する部分のみ幅広に設けられ、
前記マージン部（１Ａ）と帳票部（１Ｂ）を区画する切断線（７）の切り込みが前記帯状縁部（２１）内に設けられ、且つこの帯状縁部（２１）内に切断線（７）が切り込まれていない幅Ｗの非切断部が設けられており、
前記マージン部（１Ａ）を切断線（７）に沿って切除し、これを離型紙（６）とともに帳票部（１Ｂ）から分離する際に、離型紙（６）の剥離に伴い基材（２）の主体部（２２）はその裏面に粘着剤（５）が露出し、帯状縁部（２１）は離型紙（６）の表面に残り、且つ切断線（１０）に沿って切除されて主体部（２２）から分離するように設けられた構成を有することを特徴とする帳票印刷用シート（１）。
【請求項３】
帯状縁部（２１）は基材（２）の表面に糊殺し加工がなされた非接着領域である請求項１又は２に記載の帳票印刷用シート（１）。
【請求項４】
基材（２）と、基材（２）の表面側に剥離可能に接着していて配達票を含む上部帳票領域（４ａ）と下部帳票領域（４ｂ）が切断線（８ａ）を介して区画形成された情報印字用シート（４）と、基材（２）の裏面側に設けられた粘着剤（５）を被覆保護する離型紙（６）とにより構成されていて、前記情報印字用シート（４）の表面側から離型紙の上までに至る切断線（７）によってマージン部（１Ａ）とその上方の帳票部（１Ｂ）とに区画形成されていて離型紙（６）剥離前は全体が同じ厚さとなるように形成された構成を有する配送用伝票（ＤＳ）において、
前記基材（２）の表面側端部に沿って帯状に情報印字用シート（４）と非接着の領域である帯状縁部（２１）が設けられ、この帯状縁部（２１）の境界部に沿って設けた、基材（２）の表面側から離型紙（６）の上までに至る深さの切断線（１０）により基材（２）が情報印字用シート（４）に非接着の帯状縁部（２１）と情報印字用シート（４）が剥離可能に接着した主体部（２２）とに区画形成されているとともに、
前記帯状縁部（２１）は基材（２）の前記情報印字用シート（４）の上部帳票領域（４ａ）及び下部帳票領域（４ｂ）の縁部が面する部分のみ幅広に設けられ、
前記マージン部（１Ａ）と帳票部（１Ｂ）を区画する切断線（７）の切り込みが前記帯状縁部（２１）内に設けられ、且つこの帯状縁部（２１）内に切断線（７）が切り込まれていない幅Ｗの非切断部が設けられており、
前記マージン部（１Ａ）を切断線（７）に沿って切除し、これを離型紙（６）とともに帳票部（１Ｂ）から分離する際に、離型紙（６）の剥離に伴い基材（２）の主体部（２２）はその裏面に粘着剤（５）が露出し、帯状縁部（２１）は離型紙（６）の表面に残り、且つ切断線（１０）に沿って切除されて主体部（２２）から分離するように設けられた構成を有することを特徴とする配送用伝票（ＤＳ）。
【請求項５】
基材（２）と、基材（２）の表面側に剥離可能に接着していて配達票を含む上部帳票領域（４ａ）と下部帳票領域（４ｂ）が切断線（８ａ）を介して区画形成された情報印字用シート（４）と、基材（２）の裏面側に設けられた粘着剤（５）を被覆保護する離型紙（６）とにより構成されていて、前記情報印字用シート（４）の表面側から離型紙の上までに至る切断線（７）によってマージン部（１Ａ）とその上方の帳票部（１Ｂ）とに区画形成されていて離型紙（６）剥離前は全体が同じ厚さとなるように形成された構成を有する配送用伝票（ＤＳ）において、
前記基材（２）の表面側端部の略中間位置まで沿って帯状に情報印字用シート（４）と非接着の領域である帯状縁部（２１）が設けられ、この帯状縁部（２１）の境界部に沿って設けた、基材（２）の表面側から離型紙（６）の上までに至る深さの切断線（１０）により基材（２）が情報印字用シート（４）に非接着の帯状縁部（２１）と情報印字用シート（４）が剥離可能に接着した主体部（２２）とに区画形成されているとともに、
前記帯状縁部（２１）は基材（２）の前記情報印字用シート（４）の上部帳票領域（４ａ）及び下部帳票領域（４ｂ）の縁部が面する部分のみ幅広に設けられ、
前記マージン部（１Ａ）と帳票部（１Ｂ）を区画する切断線（７）の切り込みが前記帯状縁部（２１）内に設けられ、且つこの帯状縁部（２１）内に切断線（７）が切り込まれていない幅Ｗの非切断部が設けられており、
前記マージン部（１Ａ）を切断線（７）に沿って切除し、これを離型紙（６）とともに帳票部（１Ｂ）から分離する際に、離型紙（６）の剥離に伴い基材（２）の主体部（２２）はその裏面に粘着剤（５）が露出し、帯状縁部（２１）は離型紙（６）の表面に残り、且つ切断線（１０）に沿って切除されて主体部（２２）から分離するように設けられた構成を有することを特徴とする配送用伝票（ＤＳ）。
【発明の詳細な説明】
【技術分野】
【０００１】
本発明は、インクジェトプリンタなどのノンインパクトプリンタを用いてシート表面に各種情報を印字し或いは印刷して、所望の形式の帳票を製作するための帳票印刷用シートと配送用伝票に関する。
【背景技術】
【０００２】
荷物の配送に用いられる配送用伝票として、図１０に示されるように、荷物が梱包された箱や袋に貼付けられる貼付票ＤＳ１や、受取主に荷物を配達した際に配送業者が持ち帰る配達票ＤＳ２、受取主の控えとして利用される領収証（お届け先控）ＤＳ３などの各帳票が、一枚のシート上にレイアウトされた形態のものが使用されている。
【０００３】
このような配送用伝票ＤＳは、図１１に示されるように、基材１０１と、基材１０１の表面側に接着剤１０２を介して剥離可能に接着していてスリット１０３により前記各帳票が区画形成された情報印字用シート１０４と、基材１０１の裏面側に設けられた粘着剤１０５を被覆保護する離型紙１０６とが重合一体化した三層構造のシートであって、その一端に設けられたスリット１０３ａに沿って帯状のマージン部１００Ａと方形状の帳票部１００Ｂとに区画形成されてなる帳票印刷用シート１００を用いて構成され、これをインクジェットプリンタなどにセットし、前記情報印字用シート１０４にレイアウトされた各帳票の表面に、荷物配送に必要な情報を印字・印刷することにより作製される。
使用にあたっては、帳票部１００Ｂの下側に重合した離型紙１０６とともにマージン部１００Ａを前記スリット１０３ａに沿って帳票部１００Ｂから分離し、粘着剤１０５を露出させた帳票部１００Ｂを荷物が梱包された段ボール製の箱１１０の上面に貼付けて荷物を配送に供する。
荷物の配送処理は前記貼付票ＤＳ１に印字された届け先や伝票番号、バーコードなどの情報に基づいて行われ、配送業者が荷物を受取主に引き渡す際には、配達票ＤＳ２に受取主の受領印や署名を貰った上で配送業者が配達票ＤＳ２を基材１０１から剥がして持ち帰り、また、受取主宅において基材１０１から領収証ＤＳ３を剥がして保管することができるようになっている（例えば特許文献１、２参照）。
【先行技術文献】
【特許文献】
【０００４】
【特許文献１】特開２００３−６３１７１号公報
【特許文献２】特開２００７−２０３４７６号公報
【発明の概要】
【発明が解決しようとする課題】
【０００５】
前記図示した配送用伝票ＤＳは、配達票ＤＳ２と領収証ＤＳ３の側辺縁部に、糊殺しがなされて接着されていない剥がし口１０７が三角形状に縁取られて設けてあり、この剥がし口１０７を指先で摘んで引っ張ることで両票を基材１０１から簡単に剥がすことが可能となっている。
しかし、図１０に示されるように、前記剥がし口１０７が設けられた配送用伝票ＤＳの側辺縁部は凹凸のない直線状に縁取られて剥がし口１０７が当該側辺縁部に埋まっているため、剥がし口１０７を狙って指先を添え難く、また、配送用伝票ＤＳは極めて薄く、これを箱１１０の上面に貼付けると当該上面と略面一になることと相俟って、剥がし口１０７を指先で引き起こしてこれを摘む操作に手間取ることがあった。
そのため、配送業者の配達作業員によっては、受取主宅での配達票ＤＳ２の剥離操作に手間取らないようにするべく、受取主宅で荷物を引き渡す際に、携帯するボールペンなどのペン先を前記剥がし口１０７の下側に押し入れて剥がし口１０７を捲り上げ、捲り上がった部分を摘んで配達票ＤＳ２を基材１０１から剥がすこともあった。
【０００６】
この場合、前記剥がし口１０７を指先で摘みやすくするための方策として、例えば図１２（Ａ）に示されるように、前記剥がし口１０７を狙って指先を容易に添えることができるように、帳票印刷用シート１００の剥がし口１０７が隣接する縁部に切欠け部１０８を打ち抜いて設けることが考えられる。また、同図（Ｂ）に示されるように、基材１０１よりも小面積の情報印字用シート１０４を基材１０１の上面に接着して、配達票ＤＳ２や領収証ＤＳ３の周囲に基材１０１の縁部が残って段差ができるようにするとともに、情報印字用シート１０４の剥がし口１０７が隣接する縁部に切欠け部１０８を形成することが考えられる。
然し乍ら、帳票印刷用シート１００の側辺部に切欠け部１０８が打ち抜かれていたのでは、帳票印刷用シート１００をプリンタにセットして情報を印字・印刷するときに、プリンタ内で帳票印刷用シート１００の走行が安定せず、前記切欠け部１０８が引っ掛って紙詰まりを起こしやすくなってしまう。また、同図（Ｂ）に示した形態のものでは、情報印字用シート１０４の情報表示面積が小さくなるという問題がある。
【０００７】
本発明は従来の技術の有するこのような問題点に鑑み、プリンタで情報が印字・印刷される表面シートが剥離可能に基材に接着された構成を有する帳票印刷用シートにおいて、プリンタ内で紙詰まりを起こし難く、シート表面に安定して情報の印字・印刷が可能であり、表面シートの端部を摘んで基材から簡単に剥離することができるようにすることを課題とする。
【課題を解決するための手段】
【０００８】  前記課題を解決するため本発明の帳票印刷用シートは、基材の表面側に情報印字用シートが剥離可能に接着され、基材の裏面側に粘着剤が設けられ、且つ離型紙で被覆保護されてなるシートであって、前記情報印字用シートの表面側から離型紙の上までに至る切断線によって当該シート端部側のマージン部とその上方の帳票部とに区画形成されていて離型紙剥離前は全体が同じ厚さとなるように形成された構成を有する帳票印刷用シートにおいて、  前記情報印字用シートがその表面側から基材の上までに至る切断線によって上部帳票領域と下部帳票領域に区画形成され、  前記基材の表面側端部に沿って帯状に情報印字用シートと非接着の領域である帯状縁部が設けられ、この帯状縁部の境界部に沿って設けた、基材の表面側から離型紙の上までに至る深さの切断線により基材が情報印字用シートに非接着の帯状縁部と情報印字用シートが剥離可能に接着した主体部とに区画形成されているとともに、 前記帯状縁部は基材の前記情報印字用シートの上部帳票領域及び下部帳票領域の縁部が面する部分のみ幅広に設けられ、  前記マージン部と帳票部を区画する切断線の切り込みが前記帯状縁部内に設けられ、且つこの帯状縁部内に切断線が切り込まれていない幅Ｗの非切断部が設けられており、  前記マージン部を切断線に沿って切除し、これを離型紙とともに帳票部から分離する際に、離型紙の剥離に伴い基材の主体部はその裏面に粘着剤が露出し、帯状縁部は離型紙の表面に残り、且つ切断線に沿って切除されて主体部から分離するように設けられた構成を有することを特徴とする。  基材の端部が切除されて離型紙とともに分離させる手段としては、例えば基材の裏面側に設ける粘着剤の粘着力を基材の端部に沿って部分的に調節することが挙げられ、基材の端部にスポット的に或いは適宜な長さだけ粘着力を大きくして離型紙を基材から剥がれ難く設定し、併せて粘着力を大きくした部分に沿って基材に切断線を設けておき、離型紙を剥離する際に前記粘着力を大きく設けた基材端部が離型紙側に一体に固着し、切断線に沿って切除されて基材から分離するように設けることができる。  他の手段として、基材の端部に沿って表面に糊殺し加工がなされた非接着領域を帯状に設けるとともに、当該非接着領域の境界部に沿って基材の表面側から離型紙の上までに至る切断線を設け、切断線に沿って切除したマージン部を離型紙とともに基材から分離する際に、基材の端部が前記切断線に沿って帯状に切除されて離型紙とともに基材から分離するように設けることができる。  前記構成において、情報印字用シートは、その表面側から基材の上までに至る切断線によって少なくとも二つの帳票領域に区画形成することができる。【０００９】
また、本発明の帳票印刷用シートは、基材の表面側に情報印字用シートが剥離可能に接着され、基材の裏面側に粘着剤が設けられ、且つ離型紙で被覆保護されてなるシートであって、前記情報印字用シートの表面側から離型紙の上までに至る切断線によって当該シート端部側のマージン部とその上方の帳票部とに区画形成されていて離型紙剥離前は全体が同じ厚さとなるように形成された構成を有する帳票印刷用シートにおいて、
前記情報印字用シートがその表面側から基材の上までに至る切断線によって上部帳票領域と下部帳票領域（４ｂ）に区画形成され、
前記基材の表面側端部の略中間位置まで沿って帯状に情報印字用シートと非接着の領域である帯状縁部が設けられ、この帯状縁部の境界部に沿って設けた、基材の表面側から離型紙の上までに至る深さの切断線により基材が情報印字用シートに非接着の帯状縁部と情報印字用シートが剥離可能に接着した主体部とに区画形成されているとともに、
前記帯状縁部は基材の前記情報印字用シートの上部帳票領域及び下部帳票領域の縁部が面する部分のみ幅広に設けられ、
前記マージン部と帳票部を区画する切断線の切り込みが前記帯状縁部内に設けられ、且つこの帯状縁部内に切断線が切り込まれていない幅Ｗの非切断部が設けられており、
前記マージン部を切断線に沿って切除し、これを離型紙とともに帳票部から分離する際に、離型紙の剥離に伴い基材の主体部はその裏面に粘着剤が露出し、帯状縁部は離型紙の表面に残り、且つ切断線に沿って切除されて主体部から分離するように設けられた構成を有することを特徴とする。
【００１０】
また、本発明の配送用伝票は、基材と、基材の表面側に剥離可能に接着していて配達票を含む上部帳票領域と下部帳票領域が切断線を介して区画形成された情報印字用シートと、基材の裏面側に設けられた粘着剤を被覆保護する離型紙とにより構成されていて、前記情報印字用シートの表面側から離型紙の上までに至る切断線によってマージン部とその上方の帳票部とに区画形成されていて離型紙剥離前は全体が同じ厚さとなるように形成された構成を有する配送用伝票において、
前記基材の表面側端部に沿って帯状に情報印字用シートと非接着の領域である帯状縁部が設けられ、この帯状縁部の境界部に沿って設けた、基材の表面側から離型紙の上までに至る深さの切断線により基材が情報印字用シートに非接着の帯状縁部と情報印字用シートが剥離可能に接着した主体部とに区画形成されているとともに、
前記帯状縁部は基材の前記情報印字用シートの上部帳票領域及び下部帳票領域の縁部が面する部分のみ幅広に設けられ、
前記マージン部と帳票部を区画する切断線の切り込みが前記帯状縁部内に設けられ、且つこの帯状縁部内に切断線が切り込まれていない幅Ｗの非切断部が設けられており、
前記マージン部を切断線に沿って切除し、これを離型紙とともに帳票部から分離する際に、離型紙の剥離に伴い基材の主体部はその裏面に粘着剤が露出し、帯状縁部は離型紙の表面に残り、且つ切断線に沿って切除されて主体部から分離するように設けられた構成を有することを特徴とする。
また、基材と、基材の表面側に剥離可能に接着していて配達票を含む上部帳票領域と下部帳票領域が切断線を介して区画形成された情報印字用シートと、基材の裏面側に設けられた粘着剤を被覆保護する離型紙とにより構成されていて、前記情報印字用シートの表面側から離型紙の上までに至る切断線によってマージン部とその上方の帳票部とに区画形成されていて離型紙剥離前は全体が同じ厚さとなるように形成された構成を有する配送用伝票において、
前記基材の表面側端部の略中間位置まで沿って帯状に情報印字用シートと非接着の領域である帯状縁部が設けられ、この帯状縁部の境界部に沿って設けた、基材の表面側から離型紙の上までに至る深さの切断線により基材が情報印字用シートに非接着の帯状縁部と情報印字用シートが剥離可能に接着した主体部とに区画形成されているとともに、
前記帯状縁部は基材の前記情報印字用シートの上部帳票領域及び下部帳票領域の縁部が面する部分のみ幅広に設けられ、
前記マージン部と帳票部を区画する切断線の切り込みが前記帯状縁部内に設けられ、且つこの帯状縁部内に切断線が切り込まれていない幅Ｗの非切断部が設けられており、
前記マージン部を切断線に沿って切除し、これを離型紙とともに帳票部から分離する際に、離型紙の剥離に伴い基材の主体部はその裏面に粘着剤が露出し、帯状縁部は離型紙の表面に残り、且つ切断線に沿って切除されて主体部から分離するように設けられた構成を有することを特徴とする。
【００１１】
なお、前記構成において、剥離可能に接着するとは、例えば感圧接着剤などを用いて接着し、接着後に手で剥がそうとすれば容易に剥がすことができるように接着することを意味する。また、切断線とは、情報印字用シートや基材を手先の操作で分断できるように加工された部分であり、ミシン目やスリット、ハーフカットやハーフミシンなどの切れ目を意味する。
【発明の効果】
【００１２】
本発明の帳票印刷用シートによれば、シートの周囲に切欠け部などの凹凸部位がなく、シートの表裏両面にも段差部位がないので、これをインクジェットプリンタなどにセットして表面シートである情報印字用シートに情報を印字・印刷する際に、プリンタ内で紙詰まりを起こし難く、所望の形式の帳票を安定して作製することができる。
そして、情報印字用シートに情報を印字・印刷したならば、帳票印刷用シートの端部に設けたマージン部を切断線に沿って切り離せば、マージン部と一体に離型紙が引き剥がされて基材裏面側の粘着剤が露出するので、この粘着剤を貼付け面として箱の上面などに帳票印刷用シートを一体に固着することができる。
このとき、離型紙とともに基材の端部部分が切除されて、マージン部及び離型紙とともに基材から分離し、箱の上面などに貼付けた状態で、前記切除された基材の端部部分に面していた情報印字用シートの端部と箱の上面との間には基材の厚み分の隙間が形成されて、情報印字用シートの端部が浮いた状態となるため、指先で容易且つ確実に摘むことができ、前記従来構成のシートや配送用伝票のものよりも、情報印字用シートを基材から簡単な操作で剥離することが可能である。
【図面の簡単な説明】
【００１３】
【図１】本発明の帳票印刷用シートの一実施形態の平面図である。
【図２】図１のＩＩ−ＩＩ線に沿った要部拡大断面図である。
【図３】図１のＩＩＩ−ＩＩＩ線に沿った要部拡大断面図である。
【図４】（Ａ）は図１の帳票印刷用シートを構成する基材の平面図、（Ｂ）は同図中のＩＶ−ＩＶ線に沿った要部拡大断面図である。
【図５】図１の帳票印刷用シートの基材の帯状縁部とマージン部が重なる部分の切断線の形成位置を拡大して示した図である。
【図６】図１の帳票印刷用シートを用いて作製された配送用伝票の平面図である。
【図７】図６の配送用伝票を箱の上面に貼付けた状態の平面図である。
【図８】図７のＶＩＩＩ−ＶＩＩＩ線に沿った要部拡大断面図である。
【図９】帳票印刷用シートを構成する基材の変形例の平面図である。
【図１０】従来の配送用伝票を箱に貼付けた状態の平面図である。
【図１１】（Ａ）、（Ｂ）はそれぞれ従来の帳票印刷用シートの平面図と要部断面図断面図である。
【図１２】（Ａ）、（Ｂ）はそれぞれ従来の帳票印刷用シートの変形例を示した図である。
【発明を実施するための形態】
【００１４】
本発明の好適な実施形態を、図面を参照して説明する。
図１〜図５は本発明の一実施形態の帳票印刷用シートを示しており、この帳票印刷用シート１は、基材２と、基材２の表面側に接着剤３を介して剥離可能に接着した情報印字用シート４と、基材２の裏面側に設けられた粘着剤５を被覆保護する離型紙６とを重合一体化させて平面視矩形状に形成してある。
【００１５】
詳しくは、帳票印刷用シート１は、縦横が２０３ｍｍ×１００ｍｍ程度の寸法で縦長に形成され、図１及び図２に示されるように、その下側短手辺の端部寄りの位置に設けた、情報印字用シート４の表面側から離型紙６の上までに至る深さの切断線７により、帯状のマージン部１Ａとその上方の帳票部１Ｂとに区画形成してある。
【００１６】
帳票印刷用シート１の表面シートである情報印字用シート４は、その帳票部１Ｂ内の略中間位置に設けた、情報印字用シート４の表面側から基材２の上までに至る深さの切断線８ａにより、上部帳票領域４ａと下部帳票領域４ｂに区画してあり、また、上部帳票領域４ａの上端に設けた、前記切断線８ａと同じ深さの切断線８ｂにより、帳票部１Ｂの上端と上部帳票領域４ａの間に細幅なヘッダー領域４ｃを区画形成してある。ヘッダー領域４ｃには帳票印刷用シート１をプリンタにセットする向きをガイドする情報が予め印刷してある。
また、情報印字用シート４を剥がす際に指先でシートを摘む位置の目安となるように、上部帳票領域４ａの下辺左側の角縁部には、指先で摘む部分となる摘み部９を三角形状の着色により印刷表示してある。
【００１７】
帳票印刷用シート１の中間層である基材２は、図３及び図４に示されるように、その左側長手辺の端部に沿って、表面に糊殺し加工がなされて情報用印字シート４が接着しない領域である非接着領域が帯状に設けられているとともに、この非接着領域の境界部に沿って設けた、基材２の表面側から離型紙６の上までに至る深さの切断線１０により、情報印字用シート４に非接着の帯状縁部２１と、情報印字用シート４が剥離可能に接着した領域である主体部２２とに区画形成してある。
糊殺し加工がなされた帯状縁部２１は、４ｍｍ程度の幅で基材２の左側辺に沿って配置されており、基材２の略中間位置であって前記上部帳票領域４ａの縁部に設けた摘み部９が面する部分のみ幅広に設けてある。
【００１８】
帳票印刷用シート１は、例えばインクジェットプリンタに対応したものであれば、前記基材２は５０〜８０ｇ／ｍ２の上質紙からなる腰のあるやや肉厚な紙、情報印字用シート４は８０〜１００ｇ／ｍ２のインクジェット記録用紙をそれぞれ用い、離型紙６は通常使用されている離型紙を用いて形成することができる。
基材２と情報印字用シート４を貼り合わせる接着剤としては、感圧接着剤や感熱接着剤、再湿接着剤などの剥離可能な接着剤が用いられ、フレキソ法、グラビア法などの公知の印刷又はコーティング法によって適宜な厚みに塗布し、接着剤が乾燥していない状態で貼り合わせるウェット方式や熱圧着方式、感圧方式によって貼り合わせることができる。また、基材２の裏面側に設ける粘着剤５としては、アクリル系粘着剤や天然ゴム系粘着剤、合成ゴム系粘着剤などを用いることができる。
【００１９】
帳票印刷用シート１の製造は、所定形状の基材２の表面の所定位置に帯状に糊殺し加工を施す工程、基材２の裏面側に粘着剤５を塗布し、これに離型紙６を重ね合わせて被覆保護する工程、前記糊殺し加工が施された基材２の表面側の非接着領域の境界部に沿って前記切断線１０を形成して基材２を帯状縁部２１と主体部２２とに区画する工程、基材２の表面側に情報印字用シート４を重ね合わせて接着剤５を介して接着する工程、情報印字用シート４の表面側から前記切断線７、８ａ、８ｂを形成してマージン部１Ａと帳票部１Ｂ及び各帳票領域４ａ、４ｂ、４ｃを区画する工程、前記縦横寸法に周囲を切断する工程の各加工工程を経て行うことができる。
この場合、マージン部１Ａとともに基材２の帯状縁部２１が切除されて離型紙６とともに主体部２２から分離されるようにするため、図５に示されるように、マージン部１Ａと帳票部１Ｂを区画する切断線７の切り込みを前記帯状縁部２１内に設ける一方、帯状縁部２１内に切断線７が切り込まれていない非切断部の幅Ｗを適宜に設定する必要がある。
切断線７の切り込み幅が大きく非切断部の幅Ｗが小さすぎると、マージン部１Ａの切除に伴い帯状縁部２１が切断線７に沿って切断して主体部２２と一体に離型紙６から分離してしまい、一方、切断線７の切り込み幅が小さく非切断部の幅Ｗが大きすぎると、帯状縁部２１を離型紙６とともに主体部２２から切除できるものの、情報印字用シート４の切り口が不恰好となって帳票部１Ｂの見栄えが悪くなる。基材２や情報印字用シート４を構成する材料にもよるが、帯状縁部２１の幅の略中間部分まで切断線７の切り込みがあることが好ましい。
基材２と離型紙６間の粘着剤５による剥離力は比較的軽いが、上記の通り、帯状縁部２１内に切断線７の非切断部を適宜な幅Ｗだけ設けておくことにより、帯状縁部２１の端部は離型紙６と一体に切除されるマージン部１Ａに接続したままとなり、また、帯状縁部２１の表面を糊殺し加工がなされた非接着領域としてあるので、帯状縁部２１が情報印字用シート４に引っ張られて捲れ上がるようなことはなく、マージン部１Ａを切除する際に離型紙６の表面に帯状縁部２１を残して、主体部２２から分離させることができる。
【００２０】
このように構成された本形態の帳票印刷用シート１によれば、これをプリンタにセットして、情報印字用シート４に所定の情報を印字・印刷して所望の形式の帳票を作製することができる。この場合、帳票印刷用シート１の周囲に切欠け部などの凹凸部位がなく、また、シート表裏両面にも段差部位がないので、プリンタ内で紙詰まりを起こし難く、スムーズに印字・印刷を行うことができる。
また、情報印字用シート４に情報を印字・印刷した後、マージン部１Ａを切断線７に沿って帳票部１Ｂから切り離せば、マージン部１Ａと一体に離型紙６が引き剥がされて基材２の裏面側の粘着剤５が露出し、この粘着剤５を貼付け面として箱の上面などに帳票部１Ｂを一体に固着することができる。
このとき、基材２の帯状縁部２１が主体部２２から切除されて、前記マージン部１Ａ及び離型紙６とともに帳票部１Ｂから分離し、前記基材２の帯状縁部２１が面していた情報印字用シート４の左側辺端部に沿って基材２が重合していない部分が帯状に現出する。そのため、箱の上面などに帳票部１Ｂを貼付けた状態で、摘み部９の印刷表示がなされた情報印字用シート４の端部と箱上面間は基材２の厚み分の隙間が形成されて情報印字用シート４の端部が浮いた状態となり、指先で当該端部を容易に摘むことができ、情報印字用シート４を基材２から簡単な操作で剥離することが可能である。
【００２１】
図６は、本形態の帳票印刷用シート１を用いて作製された配送用伝票ＤＳを示しており、これは図１の帳票印刷用シート１をプリンタにセットし、前記情報印字用シート４内に区画形成された上部帳票領域４ａを配達票ＤＳ２、下部帳票領域を貼付票ＤＳ１として、両帳票に荷物配送に必要な情報を印字・印刷して作製したものである。
【００２２】
かかる配送用伝票ＤＳは、図７に示されるように、マージン部１Ａを帳票部１Ｂから切り離し、離型紙６を剥離して粘着剤５を露出させた帳票部１Ｂを配送荷物が梱包された箱１１の上面に貼付けて配送に供される。
マージン部１Ａを切除する際に基材２の帯状縁部２１も切除されて、マージン部１Ａ及び離型紙６とともに帳票部１Ｂから分離し、貼付票ＤＳ１及び配達票ＤＳ２の左側辺端部に沿って基材２が重合していない部分が帯状に現出するため、図８に示されるように、箱１１の上面に帳票部１Ｂを貼付けた状態で、配達票ＤＳ２の摘み部９の印刷表示部と箱１１の上面間に基材２の厚み分の隙間が形成されて当該摘み部９が浮いた状態となり、指先で摘み部９を容易に摘んで、配達票ＤＳ１を基材２から簡単に引き剥がすことが可能である。
【００２３】
なお、本発明の帳票印刷用シートは、配送用伝票以外の用途の帳票に利用可能である。また、図示した帳票印刷用シートと配送用伝票は、本発明の実施形態の一例を示すものであり、本発明はこれに限定されず、利用する帳票の形態などに応じて適宜な形態で構成することができる。
図示した形態では、基材２の左側辺に沿って帯状縁部２１を設けたが、基材２の右側辺や左右両側辺に帯状縁部２１を設けてもよい。また、図９に示されるように、帯状縁部２１を基材２の端部の略中間位置までの長さに設けることで、離型紙６とともに帯状縁部２１が切除された際に、情報印刷用シート４に印刷表示された摘み部９が浮いた状態となるように構成してもよい。
また、図示した形態では、情報印字用シート４を切断線８ａ、８ｂにより三つの帳票領域４ａ、４ｂ、４ｃに区画したが、帳票印刷用シート１の利用態様に応じ、複数の帳票領域に区画しない形態や、四つ以上の帳票領域に区画した形態のものを用いることができる。
基材２の端部を切除する手段として、上記の如く基材２を帯状縁部２１と主体部２２とに切断可能に構成する他に、基材２の裏面側に設ける粘着剤５の粘着力をスポット的に強くするなどし、その部分の基材のみが離型紙と一体に分離するように設けてもよく、離型紙６と一体に基材２の端部が部分的に分離するのであれば他の適宜な手段を用いることができる。
また、本発明は、前記図１０及び図１１に示される、情報印字用シート４に貼付票ＤＳ１、配達票ＤＳ２及び領収証ＤＳ３をレイアウトした形態の配送用伝票にも適用可能である。
【符号の説明】
【００２４】
１  帳票印刷用シート、１Ａ  マージン部、１Ｂ  帳票部、２  基材、２１  帯状縁部（非接着部）、２２  主体部、３  接着剤、４  情報印字用シート、４ａ，４ｂ，４ｃ  帳票領域、５  粘着剤、６  離型紙、７  切断線、８ａ，８ｂ  切断線、９  摘み部、１０  切断線、１１  箱、ＤＳ  配送用伝票、ＤＳ１  貼付票、ＤＳ２  配達票
【図１】
0005755973.tif 000002
【図２】
0005755973.tif 000003
【図３】
0005755973.tif 000004
【図４】
0005755973.tif 000005
【図５】
0005755973.tif 000006
【図６】
0005755973.tif 000007
【図７】
0005755973.tif 000008
【図８】
0005755973.tif 000009
【図９】
0005755973.tif 000010
【図１０】
0005755973.tif 000011
【図１１】
0005755973.tif 000012
【図１２】
0005755973.tif 000013